【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
被写体像が結像される撮像面上に配置された光電変換手段と、
前記光電変換手段により光電変換された電気信号を複数のエリアに分割する分割手段と、
該分割手段により分割された各エリアの電圧あるいは電荷を検出する検出手段と、
被写体を照明する発光手段と、
前記検出手段により検出された各エリアの検出値に基づいて撮像画の輝度分布のヒストグラムを算出するヒストグラム演算手段と、
前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、
を具備することを特徴とする撮像装置。
【請求項２】
被写体像が結像される撮像面上に配置された光電変換手段と、
前記光電変換手段により光電変換された電気信号を複数のエリアに分割する分割手段と、
該分割手段により分割された各エリアの電圧あるいは電荷を検出する検出手段と、
被写体を照明する発光手段と
前記発光手段を発光させない場合、前記検出手段により検出された各エリアの検出値を記憶する記憶手段と、
前記発光手段を発光させた場合の前記検出手段による各エリアの検出値と、前記記憶手段における対応する各エリアの記憶値とで演算を行なう演算手段と、
前記演算手段による演算値と所定の基準値とを比較し、前記演算値が前記所定の基準値を越えた場合、前記輝度信号から所定の輝度レベルの輝度信号を除いた輝度信号に基づいて前記発光手段による発光量を求める発光量演算手段と、
を具備することを特徴とする撮像装置。
【請求項３】
被写体像が結像される撮像面上に配置された光電変換手段を備える撮像装置を制御するための撮像装置の制御方法であって、
前記光電変換手段により光電変換された電気信号を複数のエリアに分割する分割工程と、
該分割工程において分割された各エリアの電圧あるいは電荷を検出する検出工程と、
被写体を照明する発光工程と、
前記検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を具備することを特徴とする撮像装置の制御方法。
【請求項４】
被写体像が結像される撮像面上に配置された光電変換手段を備える撮像装置を制御するための撮像装置の制御方法であって、
前記光電変換手段により光電変換された電気信号を複数のエリアに分割する分割工程と、
該分割工程において分割された各エリアの電圧あるいは電荷を検出する検出工程と、
被写体を照明する発光工程と、
前記発光工程において発光させない場合、前記検出工程において検出された各エリアの検出値を記憶する記憶工程と、
前記発光工程において発光させた場合の前記検出工程における各エリアの検出値と、前記記憶工程において記憶された対応する各エリアの記憶値とで演算を行なう演算工程と、
前記演算工程における演算値と所定の基準値とを比較し、前記演算値が前記所定の基準値を越えた場合、前記輝度信号から所定の輝度レベルの輝度信号を除いた輝度信号に基づいて前記発光工程における発光量を求める発光量演算工程と、
を具備することを特徴とする撮像装置の制御方法。
【請求項５】
被写体像が結像される撮像面上に配置された光電変換手段を備える撮像装置を制御するための制御プログラムを格納した記憶媒体であって、
前記制御プログラムが、
前記光電変換手段により光電変換された電気信号を複数のエリアに分割する分割工程のコードと、
該分割工程において分割された各エリアの電圧あるいは電荷を検出する検出工程のコードと、
該検出工程において検出された各エリアの検出値に基づいて撮像画の輝度分布のヒストグラムを算出するヒストグラム演算工程のコードと、
前記ヒストグラム演算工程により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程のコードと、
を有することを特徴とする記憶媒体。
【請求項６】
被写体像が結像される撮像面上に配置された光電変換手段を備える撮像装置を制御するための制御プログラムを格納した記憶媒体であって、
前記光電変換手段により光電変換された電気信号を複数のエリアに分割する分割工程のコードと、
該分割工程において分割された各エリアの電圧あるいは電荷を検出する検出工程のコードと、
被写体を照明する発光工程のコードと、
前記発光工程において発光させない場合、前記検出工程において検出された各エリアの検出値を記憶する記憶工程のコードと、
前記発光工程において発光させた場合の前記各エリアの検出値と、前記記憶工程において記憶された対応する各エリアの記憶値とで演算を行なう演算工程のコードと、
前記演算工程による演算値と所定の基準値とを比較し、前記演算値が前記所定の基準値を越えた場合、前記輝度信号から所定の輝度レベルの輝度信号を除いた輝度信号に基づいて前記発光工程による発光量を求める発光量演算工程のコードと、
を具備することを特徴とする記憶媒体。
【請求項７】
被写体像が結像される撮像面上に配置された光電変換手段と、
前記光電変換手段により光電変換された電気信号を複数のエリアに分割する分割手段と、
前記分割手段により分割された各エリアの電圧あるいは電荷を検出する検出手段と、
被写体を照明する発光手段と、
前記検出手段により検出された各エリアの検出値に基づいて撮像画の輝度分布のヒストグラムを算出するヒストグラム演算手段と、
前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、
を具備することを特徴とする照明制御装置。
【請求項８】
前記照明制御装置は、撮像装置を含むことを特徴とする請求項７に記載の照明制御装置。
【請求項９】
前記照明制御装置は、カメラを含むことを特徴とする請求項７に記載の照明制御装置。
【請求項１０】
被写体像が結像される撮像面上に配置された光電変換手段と、
前記光電変換手段により光電変換された電気信号を複数のエリアに分割する分割手段と、
前記分割手段により分割された各エリアの電圧あるいは電荷を検出する検出手段と、
被写体を照明する発光手段と、
前記検出手段により検出された各エリアの検出値に基づいて撮像画の輝度分布のヒストグラムを算出するヒストグラム演算手段と、
前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、
を具備することを特徴とする閃光撮影制御装置。
【請求項１１】
前記閃光撮影制御装置は、撮像装置を含むことを特徴とする請求項１０に記載の閃光撮影制御装置。
【請求項１２】
前記閃光撮影制御装置は、カメラを含むことを特徴とする請求項１０に記載の閃光撮影制御装置。
【請求項１３】
被写体像が結像される撮像面上に配置された光電変換手段を備える照明装置を制御するための照明制御方法であって、
前記光電変換手段により光電変換された電気信号を複数のエリアに分割する分割工程と、
前記分割工程において分割された各エリアの電圧あるいは電荷を検出する検出工程と、
被写体を照明する発光工程と、
前記検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を具備することを特徴とする照明制御方法。
【請求項１４】
被写体像が結像される撮像面上に配置された光電変換手段を備える閃光撮影装置を制御するための閃光撮影制御方法であって、
前記光電変換手段により光電変換された電気信号を複数のエリアに分割する分割工程と、
前記分割工程において分割された各エリアの電圧あるいは電荷を検出する検出工程と、
被写体を照明する発光工程と、
前記検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を具備することを特徴とする閃光撮影制御方法。
【請求項１５】
被写体像が結像される撮像面上に配置された光電変換手段を備える照明装置を制御するための照明制御プログラムであって、
前記光電変換手段により光電変換された電気信号を複数のエリアに分割する分割工程と、
前記分割工程において分割された各エリアの電圧あるいは電荷を検出する検出工程と、
被写体を照明する発光工程と、
前記検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を具備することを特徴とする照明制御プログラム。
【請求項１６】
請求項１５に記載の照明制御プログラムを格納することを特徴とする記憶媒体。
【請求項１７】
被写体像が結像される撮像面上に配置された光電変換手段を備える閃光撮影を制御するための閃光撮影制御プログラムであって、
前記光電変換手段により光電変換された電気信号を複数のエリアに分割する分割工程と、
前記分割工程において分割された各エリアの電圧あるいは電荷を検出する検出工程と、
被写体を照明する発光工程と、
前記検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を具備することを特徴とする閃光撮影制御プログラム。
【請求項１８】
請求項１７に記載の閃光撮影制御プログラムを格納することを特徴とする記憶媒体。
【請求項１９】
被写体像が結像される撮像面上に配置された光電変換手段を備える撮像装置を制御するための制御プログラムであって、
コンピュータに、
前記光電変換手段により光電変換された電気信号を複数のエリアに分割する分割工程と、
該分割工程において分割された各エリアの電圧あるいは電荷を検出する検出工程と、
被写体を照明する発光工程と、
該検出工程において検出された各エリアの検出値に基づいて撮像画の輝度分布のヒストグラムを算出するヒストグラム演算工程と、
前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、
を実行させるための撮像装置の制御プログラム。
【請求項２０】
被写体像が結像される撮像面上に配置された光電変換手段を備える撮像装置を制御するための制御プログラムであって、
コンピュータに、
前記光電変換手段により光電変換された電気信号を複数のエリアに分割する分割工程と、
該分割工程において分割された各エリアの電圧あるいは電荷を検出する検出工程と、
被写体を照明する発光工程と、
前記発光工程において発光させない場合、前記検出工程において検出された各エリアの検出値を記憶する記憶工程と、
前記発光工程において発光させた場合の前記前記検出工程における各エリアの検出値と、前記記憶工程において記憶された対応する各エリアの記憶値とで演算を行なう演算工程と、
前記演算工程による演算値と所定の基準値とを比較し、前記演算値が前記所定の基準値を越えた場合、前記輝度信号から所定の輝度レベルの輝度信号を除いた輝度信号に基づいて前記発光工程による発光量を求める発光量演算工程と、
を実行させるための撮像装置の制御プログラム。
【手続補正２】
【補正対象書類名】明細書
【補正対象項目名】００４０
【補正方法】変更
【補正の内容】
【００４０】
【課題を解決するための手段】
上述した課題を解決し、目的を達成するために、本発明に係わる撮像装置は、被写体像が結像される撮像面上に配置された光電変換手段と、前記光電変換手段により光電変換された電気信号を複数のエリアに分割する分割手段と、該分割手段により分割された各エリアの電圧あるいは電荷を検出する検出手段と、被写体を照明する発光手段と、前記検出手段により検出された各エリアの検出値に基づいて撮像画の輝度分布のヒストグラムを算出するヒストグラム演算手段と、前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、を具備することを特徴としている。
【手続補正３】
【補正対象書類名】明細書
【補正対象項目名】００４１
【補正方法】削除
【補正の内容】
【手続補正４】
【補正対象書類名】明細書
【補正対象項目名】００４２
【補正方法】削除
【補正の内容】
【手続補正５】
【補正対象書類名】明細書
【補正対象項目名】００４３
【補正方法】削除
【補正の内容】
【手続補正６】
【補正対象書類名】明細書
【補正対象項目名】００４４
【補正方法】変更
【補正の内容】
【００４４】
また、本発明に係わる撮像装置は、被写体像が結像される撮像面上に配置された光電変換手段と、前記光電変換手段により光電変換された電気信号を複数のエリアに分割する分割手段と、該分割手段により分割された各エリアの電圧あるいは電荷を検出する検出手段と、被写体を照明する発光手段と前記発光手段を発光させない場合、前記検出手段により検出された各エリアの検出値を記憶する記憶手段と、前記発光手段を発光させた場合の前記検出手段による各エリアの検出値と、前記記憶手段における対応する各エリアの記憶値とで演算を行なう演算手段と、前記演算手段による演算値と所定の基準値とを比較し、前記演算値が前記所定の基準値を越えた場合、前記輝度信号から所定の輝度レベルの輝度信号を除いた輝度信号に基づいて前記発光手段による発光量を求める発光量演算手段と、を具備することを特徴としている。
【手続補正７】
【補正対象書類名】明細書
【補正対象項目名】００４５
【補正方法】削除
【補正の内容】
【手続補正８】
【補正対象書類名】明細書
【補正対象項目名】００４６
【補正方法】変更
【補正の内容】
【００４６】
また、本発明に係わる撮像装置の制御方法は、被写体像が結像される撮像面上に配置された光電変換手段を備える撮像装置を制御するための撮像装置の制御方法であって、前記光電変換手段により光電変換された電気信号を複数のエリアに分割する分割工程と、該分割工程において分割された各エリアの電圧あるいは電荷を検出する検出工程と、被写体を照明する発光工程と、前記検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を具備することを特徴としている。
【手続補正９】
【補正対象書類名】明細書
【補正対象項目名】００４７
【補正方法】削除
【補正の内容】
【手続補正１０】
【補正対象書類名】明細書
【補正対象項目名】００４８
【補正方法】削除
【補正の内容】
【手続補正１１】
【補正対象書類名】明細書
【補正対象項目名】００４９
【補正方法】削除
【補正の内容】
【手続補正１２】
【補正対象書類名】明細書
【補正対象項目名】００５０
【補正方法】変更
【補正の内容】
【００５０】
また、本発明に係わる撮像装置の制御方法は、被写体像が結像される撮像面上に配置された光電変換手段を備える撮像装置を制御するための撮像装置の制御方法であって、
前記光電変換手段により光電変換された電気信号を複数のエリアに分割する分割工程と、該分割工程において分割された各エリアの電圧あるいは電荷を検出する検出工程と、被写体を照明する発光工程と、前記発光工程において発光させない場合、前記検出工程において検出された各エリアの検出値を記憶する記憶工程と、前記発光工程において発光させた場合の前記検出工程における各エリアの検出値と、前記記憶工程において記憶された対応する各エリアの記憶値とで演算を行なう演算工程と、前記演算工程における演算値と所定の基準値とを比較し、前記演算値が前記所定の基準値を越えた場合、前記輝度信号から所定の輝度レベルの輝度信号を除いた輝度信号に基づいて前記発光工程における発光量を求める発光量演算工程と、を具備することを特徴としている。
【手続補正１３】
【補正対象書類名】明細書
【補正対象項目名】００５１
【補正方法】削除
【補正の内容】
【手続補正１４】
【補正対象書類名】明細書
【補正対象項目名】００５２
【補正方法】変更
【補正の内容】
【００５２】
また、本発明に係わる記憶媒体は、被写体像が結像される撮像面上に配置された光電変換手段を備える撮像装置を制御するための制御プログラムを格納した記憶媒体であって、前記制御プログラムが、前記光電変換手段により光電変換された電気信号を複数のエリアに分割する分割工程のコードと、該分割工程において分割された各エリアの電圧あるいは電荷を検出する検出工程のコードと、該検出工程において検出された各エリアの検出値に基づいて撮像画の輝度分布のヒストグラムを算出するヒストグラム演算工程のコードと、前記ヒストグラム演算工程により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程のコードと、を有することを特徴としている。
【手続補正１５】
【補正対象書類名】明細書
【補正対象項目名】００５３
【補正方法】削除
【補正の内容】
【手続補正１６】
【補正対象書類名】明細書
【補正対象項目名】００５４
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】変更
【補正の内容】
【００５６】
また、本発明に係わる記憶媒体は、被写体像が結像される撮像面上に配置された光電変換手段を備える撮像装置を制御するための制御プログラムを格納した記憶媒体であって、前記光電変換手段により光電変換された電気信号を複数のエリアに分割する分割工程のコードと、該分割工程において分割された各エリアの電圧あるいは電荷を検出する検出工程のコードと、被写体を照明する発光工程のコードと、前記発光工程において発光させない場合、前記検出工程において検出された各エリアの検出値を記憶する記憶工程のコードと、前記発光工程において発光させた場合の前記各エリアの検出値と、前記記憶工程において記憶された対応する各エリアの記憶値とで演算を行なう演算工程のコードと、前記演算工程による演算値と所定の基準値とを比較し、前記演算値が前記所定の基準値を越えた場合、前記輝度信号から所定の輝度レベルの輝度信号を除いた輝度信号に基づいて前記発光工程による発光量を求める発光量演算工程のコードと、を具備することを特徴としている。
【手続補正１９】
【補正対象書類名】明細書
【補正対象項目名】００５７
【補正方法】削除
【補正の内容】
【手続補正２０】
【補正対象書類名】明細書
【補正対象項目名】００５８
【補正方法】変更
【補正の内容】
【００５８】
また、本発明に係わる照明制御装置は、被写体像が結像される撮像面上に配置された光電変換手段と、前記光電変換手段により光電変換された電気信号を複数のエリアに分割する分割手段と、前記分割手段により分割された各エリアの電圧あるいは電荷を検出する検出手段と、被写体を照明する発光手段と、前記検出手段により検出された各エリアの検出値に基づいて撮像画の輝度分布のヒストグラムを算出するヒストグラム演算手段と、前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、を具備することを特徴としている。
【手続補正２１】
【補正対象書類名】明細書
【補正対象項目名】００５９
【補正方法】削除
【補正の内容】
【手続補正２２】
【補正対象書類名】明細書
【補正対象項目名】００６０
【補正方法】削除
【補正の内容】
【手続補正２３】
【補正対象書類名】明細書
【補正対象項目名】００６１
【補正方法】削除
【補正の内容】
【手続補正２４】
【補正対象書類名】明細書
【補正対象項目名】００６２
【補正方法】削除
【補正の内容】
【手続補正２５】
【補正対象書類名】明細書
【補正対象項目名】００６３
【補正方法】削除
【補正の内容】
【手続補正２６】
【補正対象書類名】明細書
【補正対象項目名】００６４
【補正方法】削除
【補正の内容】
【手続補正２７】
【補正対象書類名】明細書
【補正対象項目名】００６５
【補正方法】削除
【補正の内容】
【手続補正２８】
【補正対象書類名】明細書
【補正対象項目名】００６６
【補正方法】削除
【補正の内容】
【手続補正２９】
【補正対象書類名】明細書
【補正対象項目名】００６９
【補正方法】変更
【補正の内容】
【００６９】
また、本発明に係わる閃光撮影制御装置は、被写体像が結像される撮像面上に配置された光電変換手段と、前記光電変換手段により光電変換された電気信号を複数のエリアに分割する分割手段と、前記分割手段により分割された各エリアの電圧あるいは電荷を検出する検出手段と、被写体を照明する発光手段と、前記検出手段により検出された各エリアの検出値に基づいて撮像画の輝度分布のヒストグラムを算出するヒストグラム演算手段と、前記ヒストグラム演算手段により算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光手段による発光量を求める発光量演算手段と、を具備することを特徴としている。
【手続補正３０】
【補正対象書類名】明細書
【補正対象項目名】００７０
【補正方法】削除
【補正の内容】
【手続補正３１】
【補正対象書類名】明細書
【補正対象項目名】００７１
【補正方法】削除
【補正の内容】
【手続補正３２】
【補正対象書類名】明細書
【補正対象項目名】００７２
【補正方法】削除
【補正の内容】
【手続補正３３】
【補正対象書類名】明細書
【補正対象項目名】００７３
【補正方法】削除
【補正の内容】
【手続補正３４】
【補正対象書類名】明細書
【補正対象項目名】００７４
【補正方法】削除
【補正の内容】
【手続補正３５】
【補正対象書類名】明細書
【補正対象項目名】００７５
【補正方法】削除
【補正の内容】
【手続補正３６】
【補正対象書類名】明細書
【補正対象項目名】００７８
【補正方法】変更
【補正の内容】
【００７８】
また、本発明に係わる照明制御方法は、被写体像が結像される撮像面上に配置された光電変換手段を備える照明装置を制御するための照明制御方法であって、前記光電変換手段により光電変換された電気信号を複数のエリアに分割する分割工程と、前記分割工程において分割された各エリアの電圧あるいは電荷を検出する検出工程と、被写体を照明する発光工程と、前記検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を具備することを特徴としている。
【手続補正３７】
【補正対象書類名】明細書
【補正対象項目名】００７９
【補正方法】変更
【補正の内容】
【００７９】
また、本発明に係わる閃光撮影制御方法は、被写体像が結像される撮像面上に配置された光電変換手段を備える閃光撮影装置を制御するための閃光撮影制御方法であって、前記光電変換手段により光電変換された電気信号を複数のエリアに分割する分割工程と、前記分割工程において分割された各エリアの電圧あるいは電荷を検出する検出工程と、被写体を照明する発光工程と、前記検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を具備することを特徴としている。
【手続補正３８】
【補正対象書類名】明細書
【補正対象項目名】００８０
【補正方法】変更
【補正の内容】
【００８０】
また、本発明に係わる照明制御プログラムは、被写体像が結像される撮像面上に配置された光電変換手段を備える照明装置を制御するための照明制御プログラムであって、前記光電変換手段により光電変換された電気信号を複数のエリアに分割する分割工程と、前記分割工程において分割された各エリアの電圧あるいは電荷を検出する検出工程と、被写体を照明する発光工程と、前記検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を具備することを特徴としている。
【手続補正３９】
【補正対象書類名】明細書
【補正対象項目名】００８２
【補正方法】変更
【補正の内容】
【００８２】
また、本発明に係わる閃光撮影制御プログラムは、被写体像が結像される撮像面上に配置された光電変換手段を備える閃光撮影を制御するための閃光撮影制御プログラムであって、前記光電変換手段により光電変換された電気信号を複数のエリアに分割する分割工程と、前記分割工程において分割された各エリアの電圧あるいは電荷を検出する検出工程と、被写体を照明する発光工程と、前記検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を具備することを特徴としている。
【手続補正４０】
【補正対象書類名】明細書
【補正対象項目名】００８４
【補正方法】変更
【補正の内容】
【００８４】
また、本発明に係わる撮像装置の制御プログラムは、被写体像が結像される撮像面上に配置された光電変換手段を備える撮像装置を制御するための制御プログラムであって、
コンピュータに、前記光電変換手段により光電変換された電気信号を複数のエリアに分割する分割工程と、該分割工程において分割された各エリアの電圧あるいは電荷を検出する検出工程と、被写体を照明する発光工程と、該検出工程において検出された各エリアの検出値に基づいて撮像画の輝度分布のヒストグラムを算出するヒストグラム演算工程と、前記ヒストグラム演算工程において算出された、輝度分布のヒストグラムのパターンにおいて、所定の輝度レベルの占める割合が、所定の基準値を越えた場合、輝度信号から前記所定の輝度レベルの輝度信号を除いた輝度信号に基づいて前記発光工程による発光量を求める発光量演算工程と、を実行させることを特徴としている。
【手続補正４１】
【補正対象書類名】明細書
【補正対象項目名】００８５
【補正方法】変更
【補正の内容】
【００８５】
また、本発明に係わる撮像装置の制御プログラムは、被写体像が結像される撮像面上に配置された光電変換手段を備える撮像装置を制御するための制御プログラムであって、コンピュータに、前記光電変換手段により光電変換された電気信号を複数のエリアに分割する分割工程と、該分割工程において分割された各エリアの電圧あるいは電荷を検出する検出工程と、被写体を照明する発光工程と、前記発光工程において発光させない場合、前記検出工程において検出された各エリアの検出値を記憶する記憶工程と、前記発光工程において発光させた場合の前記前記検出工程における各エリアの検出値と、前記記憶工程において記憶された対応する各エリアの記憶値とで演算を行なう演算工程と、前記演算工程による演算値と所定の基準値とを比較し、前記演算値が前記所定の基準値を越えた場合、前記輝度信号から所定の輝度レベルの輝度信号を除いた輝度信号に基づいて前記発光工程による発光量を求める発光量演算工程と、を実行させることを特徴としている。